(57)【要約】      （修正有）【課題】各物品の周りに包装材料のシートを折りたたむことによりパッケージを製造する装置を提供する。【解決手段】各物品の周りに包装材料のシートを折りたたむことによりパッケージ２を製造する機械および方法であって；包装運搬装置は、包装経路に沿って折りたたみヘッド２２を供給し、それは、パッケージを収容し、またパッケージの一部に熱をかけるための電気的に加熱される活性化部材を持ち、この折りたたみヘッド２２も、活性化部材に電気的に接続されたコイル４１を持つ可動磁気コア４０を持っており、また包装経路に沿って平行に位置づけられた固定磁気コア３８に対して面して磁気的に結合されて、位置づけられており；使用に当たっては、固定磁気コアに結合したコイル３９は、可動磁気コア４０のコイルを介して対応する電流Ｃ２の流れを誘導するために、電流Ｃ１が供給されている。【選択図】図３
2005154014.tif 000002
【特許請求の範囲】
【請求項１】
各物品（３）の周りに包装材料のシート（６）を折りたたむことによりパッケージ（２）を製造する包装機械で；この包装機械は、包装経路に沿ってパッケージ（２）を供給しまたパッケージ（２）の一部に熱をかけるための少なくとも１つの電気的加熱可能な活性化部材（３５，３６，３７）を有する、少なくとも１つの台（２２）を持った運搬機（２１）を含む包装機械（１）であって；
包装機械（１）は、各々が各第１コイル（３９）を持ちかつ包装経路の部分に沿って運搬機（２１）と平行に位置づけられた多数の第１固定磁気コア（３８）と；活性化部材（３５，３６，３７）に電気的に接続された第２コイル（４１）を有しまた第１固定磁気コア（３８）に面して磁気的に結合されて位置づけられている各第２可動磁気コア（４０）を含んだ台（２２）と；使用にあたり、第２コイル（４１）を介して対応する第２電流（Ｃ２）の流れを誘導するために、第１電流（Ｃ１）を用いて第１コイルに供給する敷設された電力供給装置（４２）とを含むことを特徴とする。
【請求項２】
第１固定磁気コア（３８）が、包装経路の限定された部分に沿って置かれていることを特徴とする請求項１記載の包装機械。
【請求項３】
活性化部材（３５，３６，３７）は、低い熱慣性を持っているため、それが包装経路に沿って動くたびに、活性化部材（３５，３６，３７）は、第２電流（Ｃ２）が活性化部材（３５，３６，３７）を経由して流れると第１温度（Ｔ１）を持ち、また第２電流（Ｃ２）が活性化部材（３５，３６，３７）を経由して流れないときには、第１温度（Ｔ１）よりかなり低くて周辺温度に近い第２温度（Ｔ２）を持っていることを特徴とする請求項１または２記載の包装機械。
【請求項４】
活性化部材（３５，３６，３７）は、断熱材製の支持パッド（４３）を含み、またパッド（４３）上に支持された板（４４）は、電気的にかつ熱的に伝導性の材料で作られておりまた第２コイル（４１）に電気的に接続された２つの末端（４６）を持った作業経路（４５）に沿って伸びる薄い板（４４）を含んでいることを特徴とする請求項３記載の包装機械。
【請求項５】
運搬機（２１）から上流に置かれ、また活性化部材（３５，３６，３７）により生じる熱により続いて再活性化される熱溶融型糊を用いることにより包装材料のシート（６）に糊付けする糊付けユニット（２６）と；包装材料のシート（６）の重なった領域の上の糊のスポットの配置を再生する作業経路（４５）とを含んでいることを特徴とする請求項４記載の包装機械。
【請求項６】
板（４４）が、作業経路（４５）の一点から他点まで変化する横断面を持っていることを特徴とする請求項４または５記載の包装機械。
【請求項７】
活性化部材（３５，３６，３７）の温度を求めるための、また第１電流（Ｃ１）の強度を活性化部材（３５，３６，３７）の温度の関数として変化させるために、電力供給装置（４２）を制御するための制御ユニット（４７）を含んでいることを特徴とする請求項１、２、３、４、５または６記載の包装機械。
【請求項８】
制御ユニット（４７）は、活性化部材（３５，３６，３７）の電気抵抗値を求めることにより活性化部材（３５，３６，３７）の温度を求めることを特徴とする請求項７記載の包装機械。
【請求項９】
制御ユニット（４７）は、第１コイル（３９）から見た第２コイル（４１）の等価インピーダンス値を求めることにより、活性化部材（３５，３６，３７）の電気抵抗値を求めることを特徴とする請求項８記載の包装機械。
【請求項１０】
請求項１から９のいずれかに記載の包装機械であって、
運搬機（２１）から上流に置かれまた活性化部材（３５，３７）により生じる熱により続いて再活性化される熱溶融型糊を用いることにより包装材料のシート（６）に糊付けする糊付けユニット（２６）と；活性化部材（３５，３７）を収納しまた物品（３）の壁の上に包装材料のシート（６）の一部を折りたたむために、物品（３）の壁に接触した位置に移動できる可動折りたたみ装置（３２，３３）を含む台（２２）と；活性化部材（３５，３７）が低い熱慣性を持っているために、それは包装経路に沿って動く時間毎に、活性化部材（３５，３７）は、第２電流（Ｃ２）が活性化部材（３５，３７）を経由して流れる時には第１温度（Ｔ１）を持ち、また電流（Ｃ２）が活性化部材（３５，３７）を経由して流れないときには、第１温度（Ｔ１）よりかなり低くて周辺温度に近い第２温度（Ｔ２）を持つようになる活性化部材（３５，３７）と；活性化部材（３５，３７）が第２温度（Ｔ２）にあるとき包装材料のシート（６）に接触するように移動する折りたたみ装置（３２，３３）と；物品（３）の壁の上に包装材料のシート（６）の一部を折りたたむために、物品（３）の壁に接触するように移動する折りたたみ装置（３２，３３）と；活性化部材（３５，３７）が糊を再活性化させるのに充分に長く第１温度（Ｔ１）をとるように電気的に加熱される活性化部材（３５，３７）と；活性化部材（３５，３７）が第２温度（Ｔ２）を取り戻してもう一度糊をセットさせるように活性化部材（３５，３７）からカットオフされる電力供給と；また最後に、台（２２）から離されるパッケージ（２）とを含むことを特徴とする包装機械。
【請求項１１】
各物品（３）の周りに包装材料のシート（６）を折りたたむことによりパッケージ（２）を製造する包装機械で、包装機械（１）は、包装経路に沿ってパッケージ（２）を供給しさらに物品（３）の壁の上に包装材料のシート（６）の一部を折りたたむために、物品（３）の壁に接触した位置に移動できる可動折りたたみ装置（３２，３３）を持っている台（２２）を有する運搬機（２１）と；運搬機（２１）から上流に置かれまた熱溶融型糊を用いることにより包装材料のシート（６）に糊付けする糊付けユニット（２６）と；糊を再活性化するためにパッケージ（２）を加熱するための電気的に過熱可能な活性化部材（３５，３７）とを含み、
包装機械（１）は、活性化部材（３５，３７）が、折りたたみ装置により運ばれまた低い熱慣性を持っているために、それは包装経路に沿って動く時間毎に、活性化部材（３５，３７）は、電流が活性化部材（３５，３７）を経由して流れる時には第１温度（Ｔ１）を持ち、また電流が活性化部材（３５，３７）を経由して流れないときには、第１温度（Ｔ１）よりかなり低くて周辺温度に近い第２温度（Ｔ２）を持ち；折りたたみ装置（３２，３３）が、活性化部材（３５，３７）が第２温度（Ｔ２）にあるとき包装材料のシート（６）に接触するように移動し；折りたたみ装置（３２、３３）は、物品（３）の壁の上に包装材料のシート（６）の一部を折りたたむために、物品（３）の壁に接触するように移動し；活性化部材（３５，３７）が電気的に加熱され、そのために活性化部材（３５，３７）が糊を再活性化させるのに充分に長く第１温度（Ｔ１）をとるようになり；電力供給は、活性化部材（３５，３７）が第２温度（Ｔ２）を取り戻してもう一度糊をセットさせるように活性化部材（３５，３７）からカットオフされ；そして最後に、パッケージ（２）が、台（２２）から離されるということを特徴とする。
【請求項１２】
活性化部材（３５，３７）が、断熱材製の支持パッド（４３）を含み、またパッド（４３）上に支持された板（４４）は、電気的にかつ熱的に伝導性の材料で作られておりまたコイル（４１）に電気的に接続された２つの末端（４６）を持った作業経路（４５）に沿って伸びる薄い板（４４）を含んでいることを特徴とする請求項１１記載の包装機械（１）。
【請求項１３】
各物品（３）の周りに包装材料のシート（６）を折りたたむことによりパッケージ（２）を製造する方法で、この方法は、熱溶融型糊を用いることにより包装材料のシート（６）に糊付けすることと；包装経路に沿ってパッケージ（２）を供給することと；物品（３）の壁の上に包装材料のシート（６）の一部を折りたたむために、物品（３）の壁に接触した位置に可動折りたたみ装置（３２，３３）を移動させることと；電気的に加熱可能な活性化部材（３５，３７）により、糊を再活性化をするためにパッケージ（２）を加熱することを含み、
この方法は、活性化部材（３５，３７）が、折りたたみ装置により運ばれまた低い熱慣性を持っているために、それは包装経路に沿って動く時間毎に、活性化部材（３５，３７）は、電流が活性化部材（３５，３７）を経由して流れる時には第１温度（Ｔ１）を持ち、また電流が活性化部材（３５，３７）を経由して流れないときには、第１温度（Ｔ１）よりかなり低くて周辺温度に近い第２温度（Ｔ２）を持つということを特徴とする方法であり；
この方法は、活性化部材（３５，３７）が第２温度（Ｔ２）にあるとき包装材料のシート（６）に接触するように折りたたみ装置（３２，３３）を移動させることと；物品（３）の壁の上に包装材料のシート（６）の一部を折りたたむために、物品（３）の壁に接触するように折りたたみ装置（３２、３３）を移動させることと；活性化部材（３５，３７）が糊を再活性化させるのに充分に長く第１温度（Ｔ１）をとるように活性化部材（３５，３７）を電気的に加熱することと；活性化部材（３５，３７）が第２温度（Ｔ２）を取り戻してもう一度糊をセットさせるように活性化部材（３５，３７）への電力供給をカットオフすることと；そして最後に、パッケージ（２）を台（２２）から離すこととを含むことを特徴とする。
【請求項１４】
活性化部材（３５，３７）が、断熱材製の支持パッド（４３）を含み、またパッド（４３）上に支持された板（４４）は、電気的にかつ熱的に伝導性の材料で作られておりまたコイル（４１）に電気的に接続された２つの末端（４６）を持った作業経路（４５）に沿って伸びる薄い板（４４）を含んでいることを特徴とする請求項１３記載の方法。
【発明の詳細な説明】
【技術分野】
【０００１】
本発明は、各物品の周りに包装材料のシートを折りたたむことによりパッケージを製造する装置および方法に関する。
【背景技術】
【０００２】
各物品は、各１枚の包装材料を用いて組み合わせるために、包装経路に沿って連続の包装用品運搬装置により、包装装置上に供給され、続いてこの包装材料は、パッケージを限定するために物品の周りに折りたたまれる。このパッケージは、包装材料シートの重なった部分を接着あるいは熱シールにより永遠に結合させることにより、安定させなければならない。さらに具体的には、糊付けを採用するときには、包装材料のシートが物品の周りに折りたたまれる前に、包装材料のシートの多くの部分に糊の層を沈着させる。
【０００３】
熱溶融型糊すなわち、周辺温度では固体であり加熱すると液体になる糊が、包装材料の平らなシート上の糊のスポットをセットするために、包装材料のシートを物品の周りに折りたたむかなり前に包装材料のシートに用いられることは、公知である。また一度、物品の周りに包装材料のシートを折りたたむことによりパッケージが完了すると、前もって沈着した糊のスポットは、糊のスポットの包装部分を加熱することにより、再活性化され、すなわち溶融される。パッケージが完了した後に、糊のスポットを再活性化させる上記の方法は、空間が通常限定されている折り畳み部材からすぐ上流側にある必要がなく、最適な場所（すなわち、アクセスが容易で、洗浄可能）において糊付け装置を組み立てることが出来る利点を持っている。さらに、この装置を一時的に停止する場合には、糊をすでに沈着させたがまだ折りたたまれていない包装材料のシートは、この装置を再稼動するときに、不完全なパッケージにはならない。
【０００４】
一方、包装完了後に糊のスポットを再活性化することは、パッケージを運ぶ包装用品運搬装置上にその糊のスポットでのパッケージを加熱するための加熱部材を設けねばならないという点で、包装用品運搬装置の構造を複雑にする。通常は、包装用品運搬装置シートには、電気抵抗器が設けられており、この電気抵抗器は、包装用品運搬装置と一体化し、包装用品運搬装置の経路に平行に位置づけられた固定接触面の上を滑るブラシにより固定された外部電力供給により電源が与えられている。この解決法は、相対的に早く磨耗するブラシを定期的に交換する必要があるという欠点を持っている。
【０００５】
加熱部材を磁気誘導により加熱することも提案されてきた。しかしながら、このような方法は、金属包装材料のシートからなるパッケージには使用できないから、加熱部材を加熱するための磁束は、その中では、金属包装材料のシートを加熱し、取り返しのつかない損傷をも与えがちである。
【発明の開示】
【０００６】
本発明の目的は、各物品の周りに包装材料のシートを折りたたむことによりパッケージを製造する、上記の欠点を除去するように設計されまた特に安価で容易に実行する装置および方法を提供することである。
【０００７】
［課題を解決するための手段］
本発明によれば、請求項１および好ましくは、請求項１を直接あるいは間接に引用するいずれかの請求項に記載のとおりに、各物品の周りに包装材料のシートを折りたたむことによりパッケージを製造する装置を提供する。
【０００８】
本発明によれば、請求項１１および好ましくは、請求項１１を直接あるいは間接に引用するいずれかの請求項に記載のとおりに、各物品の周りに包装材料のシートを折りたたむことによりパッケージを製造する装置を提供する。
【０００９】
本発明によれば、請求項１３および好ましくは、請求項１３を直接あるいは間接に引用するいずれかの請求項に記載のとおりに、各物品の周りに包装材料のシートを折りたたむことによりパッケージを製造する方法を提供する。
【発明を実施するための最良の形態】
【００１０】
本発明の非限定的実施態様を、添付した図面を参照して例示しながら説明する。
【００１１】
図１中の数字１は、全体としてタバコのソフト包装箱２を製造する自動装置を示している。各包装箱２は、箔シート５に包まれたタバコ４の整頓されたグループ３を含み、包装材料の外側シート６は、箔シート５に包まれたタバコ４のグループ３の周りにカップ状に折りたたまれ、好ましくは、国内収入印紙７を、包装材料のシート６上に交差して用いられている。
【００１２】
装置１は、実質的に公知であり、図１の破線により示されまた生産ラインに沿って置かれている多数のワークステーション９を支持し、各ワークステーションは、それぞれ多数の運転装置１０をもっている枠８を含んでいる。さらに具体的には、装置１は、６台のワークステーション９と、タバコ４のグループ３を形成するためのステーション９ａと、箔シート５を供給するためのステーション９ｂと、タバコの各グループ３の周りに箔シート５を折りたたむためのステーション９ｃと、包装材料のシート６および国内収入印紙７を供給するためのステーション９ｄ、タバコの各グループ３の周りに包装材料のシート６と国内収入印紙７（および箔のオーバーシート５）を折りたたむためのステーション９ｅとおよび包装箱２を乾燥するためのステーション９ｆを含む。
【００１３】
各ワークステーション９の主運転装置１０は、ここで図１を参照して例示しながら説明するが、明らかに各ステーション９は、実際には、図１が概略図であるため示されていないが、多数の運転装置（特に、制御センサー）からなる。
【００１４】
タバコ４のグループ３を形成するためのステーション９ａは、タバコ４を供給するためのホッパー１１と、各々は、タバコ４の各々のグループ３を受け取るポケット１３の列を有する運搬装置１２と、光学制御装置１４と移送輪１５をからなる。
【００１５】
タバコの各グループ３の周りに箔シート５を折りたたむためのステーション９ｃは、多数の折りたたみヘッド１７を有する包装輪１６を含み、各々の折りたたみヘッドは、移送輪１５からタバコの各グループ３および供給ステーション９ｂから各箔シート５を受け取るためおよびグループ３の周りに箔シート５を折りたたむためのものである。
【００１６】
箔シート５を供給するためのステーション９ｂは、供給運搬装置１８と、切断装置１９および箔シート５を包装輪１６に供給するための供給輪２０からなる。
【００１７】
タバコの各グループ３の周り（および箔シート５上）に包装材料のシート６と国内収入印紙７を折りたたむためのステーション９ｅは、多数の折りたたみヘッド２２を有する包装輪２１からなり、各ヘッドは、供給ステーション９ｄから包装材料の各シート６および国内収入印紙７を受け取り、包装輪１６からの各グループ３を受け取るためおよびタバコのグループ３の周りに包装材料のシート６および国内収入印紙７を折りたたむためのものである。
【００１８】
包装材料のシート６および国内収入印紙７を供給するためのステーション９ｄは、供給運搬装置２３と、切断装置２４と、包装材料のシート６および国内収入印紙７を包装輪２１に供給するための供給輪２５とを含む。糊付け装置２６も、熱可塑性（あるいは熱溶融性）糊の多数のスポットあるいは領域を、各々の平らな包装材料のシート６上および国内収入印紙７上に沈着させるために、供給ステーション９ｄに位置付けられている。
【００１９】
最後に、包装箱２を乾燥させるためのステーション９ｆは、移送および拒絶輪２７と、乾燥運搬装置２８と、生産品運搬装置２９とおよび光学制御装置３０からなる。
【００２０】
実際の使用においては、包装輪２１が、図１の面に垂直な中心軸に連続して回転するので、各包装ヘッド２２は、円形の包装経路に沿って、周期的に供給され、それに沿って包装ヘッド２２は、包装材料の各シート６および国内収入印紙７を供給ステーション９ｄから受け取り、包装輪１６からのタバコの各グループ３を受け取り、そしてタバコのグループ３の周りに包装材料のシート６および国内収入印紙７を折りたたむ。包装材料の各シート６および国内収入印紙７は、熱可塑性（あるいは熱溶融性）糊を用いて糊付け装置２６により包装輪２１に供給される前に糊付けされる。すなわち、糊付け装置２６は、包装材料の各シート６上および国内収入印紙７上に、包装材料のシート６および国内収入印紙７の重なった領域上の熱可塑性糊の多数のスポットおよび／あるいは帯を、沈着させる。包装材料の各シート６および国内収入印紙７が、タバコのグループ３の周りに折りたたまれる前に、糊付け装置２６により沈着された熱可塑性糊が、冷却により凝固し、そのために無効果になる。また、包装材料の各シート６および各国内収入印紙７が、タバコのグループ３の周りに、ひとたび折りたたまれると、各包装箱２を加熱し、包装材料の各シート６および国内収入印紙７上の熱可塑性糊を加熱し、またそれにより、熱可塑性糊を液体あるは半液状状態に再活性化し元に戻すことになり、また最終的には、熱可塑性糊は、もう一度冷却され、包装材料のシート６および国内収入印紙７の折りたたまれた位置を安定化する。
【００２１】
図２は、包装輪２１上の折りたたみヘッド２２の１つを、明確にするために除去された部分を用いて、概略的に示している。折りたたみヘッド２２は、タバコのグループ３の周りに、包装材料のシート６および国内収入印紙７を折りたたむように、吸引板３１により定められまた対応する包装材料のシート６および国内収入印紙７とともにタバコの各グループ３を収納するための台を含んでいる。吸引板３１は、折りたたみヘッド２２に蝶番されている２つの横型の折りたたみ装置３２により囲まれ、折りたたみ装置３２は吸引板３１の対向する側に向かい合いまた筒状の包装を定めるためにタバコのグループ３上に、包装材料のシート６を横に折りたたむためのものであり、さらに、折りたたみヘッド２２に蝶番され吸引板３１の対向する側に向かい合う２つの末端折りたたみ装置３３，３４により囲まれる。末端折りたたみ装置３３は、仕上げの折りたたみのために、包装材料のシート６の末端を提供し、末端折りたたみ装置３４は、タバコのグループ３上に国内収入印紙７を折りたたむためのものである。
【００２２】
図２および図３に示すように、使用にあたり包装材料のシート６の横に重なった部分に接触するように位置づけられる、１つの横型の折りたたみ装置３２は、包装箱２の対応する部分に熱をかけるために電気的に加熱される活性化部材３５を有し、吸引板３１は、国内収入印紙７によりとられた位置に置かれ、包装箱２に熱をかけるために電気的に加熱される活性化部材３６を有しさらに、使用に当たり包装材料のシート６中の末端折り目に接触して位置づけられている末端折りたたみ装置３３は、包装箱２の対応する部分に熱をかけるために電気的に加熱される活性化部材３７（図４）を有している。
【００２３】
図３に示すように、多数の固定磁気コア３８が包装輪２１の周りに配置され、各々の固定磁気コアはコイル３９からなり、包装輪２１が連続的に回転するにしたがって、折りたたみヘッド２２により運ばれる包装経路の一部に沿って、包装輪２１に平行におかれている。したがって、図１に明瞭に示されているように、磁気コア３８が包装輪２１の周りおよび近くに伸びている円弧状になっている。各折りたたみヘッド２２は、コイル４１を有し固定磁気コア３８に面しかつ磁気的に結合している各可動磁気コア４０からなり、各コイル４１は、各活性化部材３５，３６，３７に電気的に接続され、それらを電気的に供給する。
【００２４】
実際の使用では、固定磁気コア３８のコイル３９に接続された電力供給装置４２は、交流電圧でコイル３９に供給するため結果交流Ｃ１は、コイル３９を経由して流れ、固定磁気コア３８および可動磁気コア４０の両方を経由して流れ、相対コイル４１に連結されている磁束を発生する。このように各コイル４１が時間可変磁束に連結されている結果、対応する交流電圧がコイル４１に誘導され、コイル４１を経由して流れる交流Ｃ２を生じる。コイル４１に連結された磁束は、交流Ｃ１（すなわち、定義による時間可変）により固定磁気コア３８に関して可動磁気コア４０の移動により発生し、時間とともに変化することに留意することが重要である。
【００２５】
各コイル４１を経由して流れる交流Ｃ２は、各活性化部材３５，３６，３７を含み、このために、それらは、相対包装箱２に生じる熱を発生する。
【００２６】
換言すれば、コイル３９およびコイル４１は第１および第２電気変圧器のような作用をし、その磁気コア４０は、固定化部分（固定磁気コア３８）および固定化部分に対向している可動部分（可動磁気コア４０）に分割されている。明らかに、固定磁気コア３８および可動磁気コア４０のあいだの必然的空隙は、従来の変圧器の高効率（９０〜９５％）に比較して、電気エネルギーが、コイル３９およびコイル４１のあいだに伝達される効率を減少させるが、この削減は少量の電力が関連していることから無視しうる。
【００２７】
図３の実施の態様では、活性化部材３５，３６，３７は、全て同じコイル４１に接続されており、このため共に供給されている。明らかに、発生した熱量は異なる電気抵抗（加熱体であって、実質的に対応する電気インピーダンスと一致する電気抵抗）の活性化部材３５，３６，３７を形成することにより、不釣合いに分配され得る。より具体的には、活性化部材３５，３６，３７のうち最小の電気抵抗値を持つものは、並列な電気接続の場合にはより多くの熱を発生し、また直列の電気接続の場合にはより少ない熱を発生する。
【００２８】
他の実施の態様は、各々のコイル４１により対応する活性化部材３５，３６，３７を供給する多数の可動磁気コア４０を含み得、固定磁気コア３８の同じグループに接続されているか、あるいは各々のコイル４１により対応する活性化部材３５，３６，３７を供給する多数の可動磁気コア４０を含み得、固定磁気コア３８の各々の独立したグループに接続されている。たとえば、図４の実施の態様では、活性化部材３７は各磁気コア４０のコイル４１により供給され、それは、活性化部材３５，３６を供給する磁気コア４０とは異なりまた独立しており、また活性化部材３５，３６と関連する磁気コア３８とは異なりまたそれと独立している磁気コア３８の各グループに接続されている。
【００２９】
添付された図面に示された実施の態様では、固定磁気コア３８が、設けられており、また活性化部材３５，３６，３７のみが、包装経路の限定された部分に沿って、折りたたみヘッド２２により運ばれている。各活性化部材３５，３６，３７は、低い熱慣性を持っており、このためにそれが包装経路に沿って運ぶたびに、活性化部材３５，３６，３７は、電流Ｃ２が供給されると温度Ｔ１を有し、また電流Ｃ２が供給されないときには、温度Ｔ１よりかなり低くて周辺温度に近い温度Ｔ２を有する。換言すれば、各活性化部材３５，３６，３７の熱慣性は、それを加熱するには充分低く、また包装輪２１が中心軸のまわりを完全に一回転させるためにに要する時間よりもかなり早く冷却する。
【００３０】
上記したように、国内収入印紙７の一端は、吸引板３１の内側に収納されている活性化部材３６により加熱され、国内収入印紙７の他方の端は、包装経路に沿った所定の位置に設けられたファン（図示していない）により生み出される熱空気の流れ、あるいは包装経路に沿った所定の位置に設けられたランプ（図示していない）により照射される赤外線により、加熱されるのが好ましい。
【００３１】
図４は、末端折りたたみ装置３３の活性化部材３７のより詳細な図を示しており、それは、断熱材料（特に、シリコンゴム）製の支持パッド４３と、パッド４３上に支持されまた電気的にも熱的にも伝導性の材料（特に、金属）製の薄板４４を含む。板４４は加熱面を定め、また２つの末端４６を有する作業経路４５に沿って延びている。板４４により生じた熱を、熱可塑性糊が沈着されているシート６の重なっている領域上に集中させるように、作業経路４５は包装材料のシート６の重なっている領域部分の配列を再生するように形成される。他の活性化部材３５，３６も上記した活性化部材３７と全く同一の方法で形成されるということを指摘するべきである。
【００３２】
示されていない実施の態様では、板４４の断面領域は、作業経路４５に沿って変化する。さらに具体的には、板４４の各断面領域は、その特定の断面に生じる熱量に依存し、この熱量に反比例する。あるいは、板４４の断面領域は一定であり、板４４の幅が作業経路４５に沿って変化している。
【００３３】
１つの可能な実施の態様は、活性化部材３５，３６，３７が電気的に電源を与えられたときそれらの平均温度を求めるためのものであって、活性化部材３５，３６，３７の平均温度の関数として電流Ｃ１の強度を変化させるための電力供給装置４２を制御するための制御ユニット４７を含んでいる。さらに具体的には、制御ユニット４７の目的は、活性化部材３５，３６，３７が電気的に電源を与えられたときに、使用された熱可塑性糊の物理特性と、包装材料のシート６の物理特性と、おそらく包装輪２１の回転スピードにも通常は依存している所定の平均温度に到達することを確かなものとすることである。
【００３４】
たとえば、制御ユニット４７は、コイル３９により見られるコイル４１の等価インピーダンスを求めることにより求められる活性化部材３５，３６，３７の平均電気抵抗値を求めることにより、活性化部材３５，３６，３７の平均温度を決定する。
【００３５】
制御ユニット４７も、実際に電源を与えられる固定磁気コア３８のコイル３９の数を変化させることにより、活性化部材３５，３６，３７が、電気的に電源を与えられる時間を変化させてもよい。言い換えれば、包装輪２１の与えられた回転速度に対して電源を与えられるコイル３９の数が多いほど、活性化部材３５，３６，３７がより長いあいだ電気的に電源を与えられる。この制御方法は、制御ユニット４７により、活性化部材３５，３６，３７が電気的にパワーを与えられる時間が、包装輪２１の回転速度の変化と共に、一定に維持されるように採用されている。
【００３６】
図示していない他の実施の態様では、固定磁気コア３８が設けられ、折りたたみヘッド２２により運ばれる包装経路の全体に沿って、活性化部材３５，３６，３７を加熱する。
【００３７】
実際の使用では、包装輪２１は、図１の面に垂直な中心軸の周りで連続的に回転しているので、各包装ヘッド２２は、円形包装経路に沿って周期的に供給され、それに沿って、包装ヘッド２２は、供給ステーション９ｄから包装材料の各シート６および国内収入印紙７を受け取り、包装輪１６からタバコの各グループ３を受け取り、そしてタバコのグループ３のまわりに包装材料のシート６および国内収入印紙７を折りたたむ。包装材料の各シート６および各国内収入印紙７は、包装輪２１に供給される前に熱可塑性（あるいは熱溶融性）糊で糊付けされる。すなわち、糊付け装置２６が、包装材料のシート６および国内収入印紙７の重なった領域の上の熱可塑性糊の多数のスポットおよび／あるいは帯を、包装材料のシート６および国内収入印紙７上に沈着させる。包装材料の各シート６および各国内収入印紙７が、タバコのグループ３の周りに折りたたまれる前に、糊付け装置２６により沈着された熱可塑性糊が、冷却によりセットされ、無効果になる。さらに、包装材料の各シート６および各国内収入印紙７が、タバコのグループ３の周りにひとたび折りたたまれと、包装材料のシート６および国内収入印紙７上の熱可塑性糊を加熱するために各包装箱２に熱が加えられ、また熱可塑性糊を液状あるいは半液状状態に再活性化し元に戻している。
【００３８】
言い換えれば、包装材料の各シート６および各国内収入印紙７が、熱可塑性糊を用いる糊付け装置２６により糊付けされ、包装材料の各シート６および各国内収入印紙７が、折りたたまれる前の冷却で凝固し、また包装材料の各シート６および各国内収入印紙７が、各折りたたみヘッド２２に供給され、そこで相対的なタバコのグループ３に結び付けられている。折りたたみヘッド２２の横型の折りたたみ装置３２および末端折りたたみ装置３３は、タバコのグループ３の各壁に接触して移動し、包装材料の各シート６の各部分をそのグループの壁の上に折りたたみ、対応する包装箱２を形成し、また、その後包装箱２は、活性化部材３５，３６，３７により熱可塑性糊を再活性化するために加熱され、活性化部材のいくつかは、包装箱２の壁に接触して、横型の折りたたみ装置３２および末端折りたたみ装置３３により運ばれる。活性化部材３５，３６，３７は、包装材料のシート６が折りたたまれときには、周辺温度に近い温度Ｔ２に最初はなっているが、続いて電気的に電源を与えられて、熱可塑性糊を再活性化するのに充分に長い時間、温度Ｔ１に到達してその温度を保持し、最終的には、電力供給がカットされ、それらの低い熱的慣性により温度Ｔ２に急速に戻り、熱可塑性糊が再度凝固する。熱可塑性糊が、充分に硬く凝固するときのみ、包装箱２は、折りたたみヘッド２２から開放されて、このようにして、包装箱２が折りたたみヘッド２２を離れるときに、包装材料のシート６あるいは国内収入印紙７のスプリングバックを防止している。
【００３９】
明らかに、移動運搬装置上に運ばれる加熱部材に電気的パワーを与えるための上記の構成設計解決法は、加熱部材が透明なプラスチック包装材料のシートをヒートシールするセロファン作成機などの他の自動包装機にも用いてもよい。
【図面の簡単な説明】
【００４０】
【図１】本発明の自動タバコ包装機械の概略前面図を示している。
【図２】図１の機械の包装輪の部分を形成する折りたたみヘッドを、明確にするために除去された部分を用いた透視図を示している。
【図３】図２の折りたたみヘッドの概略側面図を示している。
【図４】図２の折りたたみヘッドの折りたたみ装置の平面図を示している。
【符号の説明】
【００４１】
２  包装箱
３  タバコのグループ
４  タバコ
６  折りたたみシート
２１  包装輪
２２  折りたたみヘッド
２６  糊付け装置
３２  横型折りたたみ装置
３３  末端折りたたみ装置
３５，３６，３７  活性化部材
３８  磁気コア
４１  コイル
４２  電力供給装置
４３  パッド
４４  板
４５  作業経路
４６  末端
４７  制御ユニット
【図１】
2005154014.tif 000003
【図２】
2005154014.tif 000004
【図３】
2005154014.tif 000005
【図４】
2005154014.tif 000006
【外国語明細書】
2005154014000001.pdf
2005154014000002.pdf
2005154014000003.pdf
2005154014000004.pdf